(57)【要約】【課題】親指の指袋と第二指との間の指股に襠を設けて、靴下を着用した際に親指や第二指をそれぞれ自由に動かし易くし、しかも襠部分が指股にフィットし、着用感のよい襠付き靴下およびその編成方法を提供する。【解決手段】親指用指袋１と隣接する指袋２の間の指股に襠６が設けられている靴下であり、前後に対向して配置された針床を具備する横編機において、親指用指袋１の爪先側１ａから筒状に編成が行われ、親指用指袋の付け根１ｂまで編成した後に親指用指袋を編成していた編針に隣接する前後の複数本の編針に編糸をジグザグに給糸して襠６を編成するための編み出し部６ａとし、その後に隣接する指袋２の編成を行う。【選択図】図２
2019065425.tif 000002
【特許請求の範囲】
【請求項１】
前後に対向して配置された針床を具備する横編機で編成される複数本の指袋を有する靴下において、親指用指袋と隣接する指袋の間の指股に襠が設けられており、該襠は前記前後の針床の編針にジグザグに給糸された編糸から編み出されていることを特徴とする襠付き靴下。
【請求項２】
前記襠の幅が２〜１０ｍｍであることを特徴とする請求項１記載の靴下。
【請求項３】
前後に対向して配置された針床を具備する横編機において、親指用指袋の爪先側から筒状に編成が行われ、親指用指袋の付け根まで編成した後に親指用指袋を編成していた編針に隣接する前後の複数本の編針に編糸をジグザグに給糸して襠編成用の編み出し部とし、その後に隣接する指袋の編成を行うことを特徴とする襠付き靴下の編成方法。
【請求項４】
前後に対向して配置された針床を具備する横編機において、親指用指袋の爪先側から筒状に編成が行われ、親指用指袋の付け根まで編成した後に親指用指袋を編成していた編針に隣接する前後の複数本の編針に編糸をジグザグに給糸して襠編成用の編み出し部とし、襠編成用編針と親指用指袋編成用編針とにより少なくとも１往復キャリッジを走行させて編目を編成し、その後に隣接する指袋の編成を行うことを特徴とする襠付き靴下の編成方法。
【請求項５】
第二指用指袋および第三指用指袋の編成を行った後に、襠部分を含む各指袋の付け根部分に筒状の三本胴の編地を編成し、その後に他の指袋の編成を行うことを特徴とする請求項４記載の襠付き靴下の編成方法。
【請求項６】
第二指用指袋、第三指用指袋および第四指用指袋の編成を行った後に、襠部分を含む各指袋の付け根部分に筒状の四本胴の編地を編成し、その後に第五指用指袋の編成を行うことを特徴とする請求項４記載の襠付き靴下の編成方法。
【請求項７】
三本胴または四本胴の編成時に襠部分の幅を減らし目により減じていくことを特徴とする請求項５または請求項６記載の襠付き靴下の編成方法。
【発明の詳細な説明】
【技術分野】
【０００１】
本発明は指袋付き靴下およびその編成方法に関するものである。本発明における指袋付き靴下は靴下の爪先部に５本の指袋を備えたものでもよいし、親指用指袋・第二〜四指用指袋・第五指用指袋の３つの指袋を備えたもの、足袋のように親指用指袋と他の指用指袋を供えたものなどでもよい。
本発明のおける靴下は、一般的にソックスと称するものはもちろんのこと、フットカバー（カバーソックス、インナーソックス、ヌードソックス等と称されることもある）や指先から土踏まずまでの短い爪先カバーを含むものである。
【背景技術】
【０００２】
一般的な靴下の爪先部分は５本の指を一緒に収容する１つの指袋からなるものであるが、最近では、指が隣接する指と密着していることにより蒸れて臭いが発生したり、水虫の原因となったりするので、各指を別々の指袋に収納する靴下が開発され、多く販売されるようになった。
【０００３】
例えば、特許第３００４２００号公報（特許文献１）、特開２０００−２３９９５０号公報（特許文献２）、特開２００２−６１０５４号公報（特許文献３）、特開２００８−１１５４７５号公報（特許文献４）などには５本指靴下の編成方法が開示されている。
【先行技術文献】
【特許文献】
【０００４】
【特許文献１】特許第３００４２００号公報
【特許文献２】特開２０００−２３９９５０号公報
【特許文献３】特開２００２−６１０５４号公報
【特許文献４】特開２００８−１１５４７５号公報
【発明の概要】
【発明が解決しようとする課題】
【０００５】
前述した特許文献１〜３に開示されている編成方法では、親指用指袋から第五指用指袋までの各指袋はその付け根部分が隣接する指袋の付け根部分と隣接した状態、または付け根部分が重なりあった状態で指股を形成している。
一方、人間の足においては、足の親指は第１関節付近の部分が太く、親指の付け根部分はそれよりも細くなっている。そのため、親指と隣接する第二指（人差し指）とは、親指の第１関節付近で接触し、親指の付け根部分と第二指の付け根部分との間の指股は広く、隙間ができている。
【０００６】
前記特許文献１〜３に開示されているような従来の５本指靴下は、親指と第二指の間の指股にゆとりがなく、着用すると窮屈感があり、親指や第二指をそれぞれ自由に動かし難かった。
前記特許文献４には親指と人差指の指股に襠を伏目により形成することが開示されている。しかしながら、伏目による襠は編成工程が非常に繁雑であり（特許文献４の請求項７に記載のように隣接する筒状編地の一方の端部の編目を他方の針床に退避させて空けた編針に、隣接する筒状編地の他方の端部の編目を移し、移した編目に退避させた編目を重ねて重ね目を形成し、重ね目をニットした編目に対する伏目処理で形成する）、伏目の襠の編成に時間がかかると言う問題がある。更に、伏目による襠は編目が重ね目があることおよび伏目そのものにより襠の部分が厚くなり、靴下を着用した際に襠部分が指股にフィットせず、ゴロツキ感があり、履き心地がよくなかった。また、伏目の編目ループが横方向であるため足の指を開く方向に伸び難くい等の問題がある。
【０００７】
本発明は前述したような従来の問題を解決し、親指の指袋と第二指との間の指股に襠を設けて、靴下を着用した際に親指や第二指をそれぞれ自由に動かし易くすると共に、襠部分が指股にフィットし、着用感のよい襠付き靴下を提供することを目的とする。
【０００８】
また、本発明はこのような襠付き靴下を容易に製造できる編成方法を提供することを目的とする。
【課題を解決するための手段】
【０００９】
本発明によれば、前後に対向して配置された針床を具備する横編機で編成される複数本の指袋を有する靴下において、親指用指袋と隣接する指袋の間の指股に襠が設けられており、該襠は前記前後の針床の編針にジグザグに給糸された編糸から編み出されていることを特徴とする襠付き靴下により前記目的を達成する。
本発明においては、前記襠はその幅が２〜１０ｍｍであることが好ましい。
【００１０】
本発明によれば、前後に対向して配置された針床を具備する横編機において、親指用指袋の爪先側から筒状に編成が行われ、親指用指袋の付け根まで編成した後に親指用指袋を編成していた編針に隣接する前後の複数本の編針に編糸をジグザグに給糸して襠編成用の編み出し部とし、その後に隣接する指袋の編成を行うことを特徴とする襠付き靴下の編成方法により前記目的を達成する。
【００１１】
本発明においては、親指用指袋の付け根まで編成した後に親指用指袋を編成していた編針に隣接する前後の複数本の編針に編糸をジグザグに給糸して襠編成用の編み出し部とした後、襠編成用編針と親指用指袋編成用編針とにより少なくとも１往復キャリッジを走行させて編目を編成し、その後に隣接する指袋の編成を行うことが好ましい。
【００１２】
本発明においては、第二指用指袋および第三指用指袋の編成を行った後に、襠部分を含む各指袋の付け根部分に筒状の三本胴の編地を編成し、その後に他の指袋の編成を行ってもよいし、或いは第二指用指袋、第三指用指袋および第四指用指袋の編成を行った後に、襠部分を含む各指袋の付け根部分に筒状の四本胴の編地を編成し、その後に第五指用指袋の編成を行ってもよい。
この場合、三本胴または四本胴の編成時に襠部分の幅を減らし目により減じていくことが好ましい。
【発明の効果】
【００１３】
本発明の複数本の指袋を有する靴下は、親指用指袋と隣接する指袋の間の指股に襠が設けられており、該襠は前後の針床の編針にジグザグに給糸された編糸から編み出されているので、襠の部分は厚みがなく、指股にフィットし、親指用指袋および隣接する指袋が足の指にフィットし、靴下の履き心地がよい。
また、本発明によれば、襠はジグザグに給糸された編糸から編み出されているので、横方向の伸びがよく、足の指を拡げたり、動かしたりし易い。
【００１４】
本発明によれば、親指用指袋の爪先側から筒状に編成が行われ、親指用指袋の付け根まで編成した後に親指用指袋を編成していた編針に隣接する前後の複数本の編針に編糸をジグザグに給糸して襠編成用の編み出し部とし、その後に隣接する指袋の編成を行うので、特許文献４の編成方法のように編目を移したり、伏目を形成したりの繁雑で手間の掛かる工程が不要であり、効率よく編成することができる。
また、襠の編成のために増えた編目（すなわち、広くなった横幅）は第五指用指袋の編成までに減らし目により減じれば、その後は通常の大きさとなる。
【図面の簡単な説明】
【００１５】
【図１】本発明の襠付き靴下の一実施例の部分（爪先から足部の一部）を示す平面図である。
【図２】本発明の襠付き靴下の編成方法の一実施例における爪先部の編成工程を概略的に示した説明図である。
【発明を実施するための形態】
【００１６】
以下、本発明を図示した実施例に基いて詳細に説明する。
本発明の靴下は、爪先部に複数本の指袋を有する靴下であり、５本の指袋を備えたものでもよいし、親指用指袋・第二〜四指用指袋・第五指用指袋の３つの指袋を備えたもの、足袋のように親指用指袋と他の指用指袋を供えたものなどでもよい。
図１に示した靴下は５本の指袋を備えたものであり、図１には靴下の爪先から足部の一部のみを図示し、残りの足部から履き口までは省略している。
【００１７】
本発明の靴下は前後に対向して配置された針床を具備する横編機において編成されるものである。図１に示した実施例では親指用指袋１の爪先１ａから編成が開始され、親指用指袋１の付け根１ｂまで編成した後に親指用指袋１と第二指用指袋２の間の指股に襠６が設けられ、その後、第二指用指袋２、第三指用指袋３、第四指用指袋４が編成され、続いて四本胴７が編成され、第五指用指袋５の編成が終わると、足部８から履き口部（図示せず）までの編成が行われる。
【００１８】
本発明は、親指用指袋１を編成していた編針に隣接する前後の複数本の編針に編糸をジグザグに給糸して襠６の編み出し部としたことを特徴とするものであり、本発明においては、編糸は靴下に通常使用するものであれば、特に限定されない。
本発明において、襠６の幅は特に限定されないが、狭くても足指の運動に自由がなく、広すぎても指股にフィットしなくなるので２〜１０ｍｍであることが好ましい。
【００１９】
図２に示した本発明の襠付き靴下の編成方法の一実施例における爪先部の編成工程を説明する。図２において符号ａ〜ｉは編成工程を示し、符号１１、１２は前後に対向して配置された針床の針列を示している。符号１１は後側の針床の針列、符号１２は前側の針床の針列を示し、一つ一つの点が編針１３、１４を示し、実線は編糸１５を示す。
【００２０】
まず、図２のａ工程では前後の針床における編針１３、１４のうち親指用指袋編成用編針１３、１４に編糸１５がジグザグに給糸され、親指用指袋１の爪先１ａの編み出しが行われる。次に図２のｂ工程では前側の針床の編針１４および後側の針床の編針１３に編糸１５を給糸して、各編針でニットして編目ループを形成する。なお、各編針でニットして編目ループを形成する場合、図２では、編糸１５が各編針を囲むような円として描かずに、編糸１５が直線的に編針の上を通るように簡略化して描いている。
【００２１】
図２のｂ工程では編糸１５が前側の針床の編針１４に給糸され、編目ループを形成した後、後側の針床の編針１３に給糸され、編目ループを形成する。このように編糸１５が前側の針床の編針１４と後側の針床の編針１３とを周回するように給糸・編成される。周回コースが多数回繰り返されて筒状の編地が編成され、所望の長さの親指用指袋１が形成される。
【００２２】
次に、図２のｃの工程では、親指用指袋１の付け根１ｂまで編成した後に、続けて親指用指袋１を編成していた編針に隣接する前後の複数本の編針１３、１４に編糸１５をジグザグに給糸して襠編成用編み出し部６ａとする。
【００２３】
図２のｄの工程では、横編機のキャリッジ（図示せず）を１往復走行させて前側の針床における襠編成用編針１４および親指用指袋編成用編針１４から後側の針床における親指用指袋編成用編針１３および襠編成用編針１３まで給糸して各編針でニットして編目を形成する。
【００２４】
続いて、図２のｅの工程では、横編機のキャリッジを走行して、前側の針床の襠編成用編針１４および親指用指袋編成用編針１４に給糸して各編針でニットして編目を形成する。なお、この工程を省略することも可能である。
【００２５】
その後、図２のｆの工程で、隣接する指袋（第二指用指袋２）の編成を行うために、襠編成用編針に隣接する前後の複数本の編針１３、１４（すなわち、第二指用指袋編成用編針）に編糸１５をジグザグに給糸して第二指用指袋２の編み出し部２ａとする。
【００２６】
図２のｇの工程では編糸１５が前側の針床の第二指編成用編針１４と後側の針床の第二指用指袋編成用編針１３とを周回するように給糸・編成される。周回コースが多数回繰り返されて筒状の編地が編成され、所望の長さの第二指用指袋２が形成される。
【００２７】
図２のｈの工程で、第二指に隣接する指袋（第三指用指袋３）の編成を行うために、第二指用指袋編成用編針に隣接する前後の複数本の編針１３、１４（すなわち、第三指用指袋編成用編針）に編糸１５をジグザグに給糸して第三指用指袋３の編み出し部３ａとする。
【００２８】
図２のｉの工程では編糸１５が前側の針床の第三指用指袋編成用編針１４と後側の針床の第三指用指袋編成用編針１３とを周回するように給糸・編成される。周回コースが多数回繰り返されて筒状の編地が編成され、所望の長さの第三指用指袋３が形成される。
【００２９】
次に、図示しないが、同様にして第四指用指袋を編成する。その後、図１に示した実施例では、親指用指袋編成用編針、襠編成用編針、第二指用指袋編成用編針、第三指用指袋編成用編針および第四指用指袋編成用編針に給糸し、編成して、四本胴７を編成する。続いて、第五指用指袋を同様に編成する。
その後、従来のように、足部８から履き口部（図示せず）までを編成して、本発明の靴下を製造する。
【００３０】
なお、本発明においても、襠の編成から第二指用指袋２の編み出し部２ａに移る際、第二指用指袋２の付け根から第三指用指袋３の編み出し部３ａに移る際、第三指用指袋３の付け根から第四指用指袋４の編み出し部４ａに移る際、および四本胴の終わりのコースから第五指用指袋５の編み出し部５ａに移る際には編糸１５は切断されるが、従来公知のように横編機で使用されている端フックで編糸が保持された状態で切断され、一方の糸端は編地の中に入れられ、他方の糸端は後続の編成まで保持される。
【００３１】
また、第二指用指袋から第五指用指袋までの各指股部は、隣接する指袋を編成する編針のうち数本の編針を共通に使用する公知の指重ね編成として編成してもよい。
【００３２】
更に、図１に示した実施例では四本胴７を設けているが、四本胴７を設けずに、第四指用指袋４を編成した後、直ちに第五指用指袋５を編成してもよい。或いは、第二指用指袋および第三指用指袋の編成を行った後に、襠部分を含む各指袋の付け根部分に筒状の三本胴の編地を編成し、その後に他の指袋の編成を行ってもよい。
【００３３】
図１に示した実施例では、襠６を設けるために使用する編針の本数が増加し、靴下の足部８の幅が広くなるが、三本胴や四本胴の編成時に増加した襠相当分の幅を減らし目により減じて、足部８の幅を襠６がない状態まで減らしてもよい。例えは、襠の編み出し時に８目あった場合、２コースで１目減らし、徐々に１目ずつ減らし、１目にする。
【符号の説明】
【００３４】
１  親指用指袋
１ａ  親指用指袋の編み出し部
１ｂ  親指用指袋の付け根
２  第二指用指袋
２ａ  第二用指袋の編み出し部
３  第三指用指袋
４  第四指用指袋
５  第五指用指袋
６  襠
６ａ  襠の編み出し部
７  四本胴
８  足部
１１  後側針床の針列
１２  前側針床の針列
１３  後側針床の編針
１４  前後側針床の編針
１５  編糸
【図１】
2019065425.tif 000003
【図２】
2019065425.tif 000004